(57)【特許請求の範囲】
【請求項１】
照明装置であって、
発光体と、
前記発光体からの光を反射する反射面であって被照明体に向けて反射光を放出する反射面と、
を備え、
前記反射面には、前記反射面の各位置の反射率を塗料および／または印刷の明暗により変更して前記各位置の反射光量を調整する光量調整パターンが形成されており、
前記反射面内において前記発光体からの距離が大きくなるにつれて反射率が連続的に大きくなるように、前記光量調整パターンが形成されることを特徴とする照明装置。
【請求項２】
照明装置であって、
発光体と、
前記発光体からの光を反射する反射面であって被照明体に向けて反射光を放出する反射面と、
を備え、
前記反射面には、前記反射面の各位置の反射率を塗料および／または印刷の明暗により変更して前記各位置の反射光量を調整する光量調整パターンが形成されており、
前記光量調整パターンは、当該光量調整パターンを設けない状況で前記発光体による光照射を行って取得された前記反射面内の光量分布に基づくパターンであって、当該光量調整パターンを設けない状況で前記発光体による光照射が行われて撮影された撮影画像における前記反射面内の前記光量分布に基づくパターンであり、前記光量分布において比較的暗い部分領域の反射率が前記光量分布において比較的明るい部分領域の反射率よりも大きくなるように形成されることを特徴とする照明装置。
【請求項３】
請求項２に記載の照明装置において、
前記光量調整パターンは、前記光量分布において比較的明るい部分領域から比較的暗い部分領域にいくにつれて各領域の反射率が連続的に大きくなるように、形成されることを特徴とする照明装置。
【請求項４】
請求項１ないし請求項３のいずれかに記載の照明装置において、
前記光量調整パターンにおいては、第１の明度を有する領域である第１領域と第２の明度を有する領域である第２領域との表面構成比率が前記反射面内の部分領域ごとに調整されることによって、当該部分領域ごとの反射率が調整され、当該部分領域ごとの反射光量が調整されることを特徴とする照明装置。
【請求項５】
請求項４に記載の照明装置において、
前記光量調整パターンは、網点を用いて形成されることを特徴とする照明装置。
【請求項６】
請求項５に記載の照明装置において、
前記第１領域は、前記第２領域の明度よりも高い明度を有する高明度領域であり、
前記第２領域は、前記第１領域の明度よりも低い明度を有し且つ網点要素領域として構成される領域であることを特徴とする照明装置。
【請求項７】
請求項５に記載の照明装置において、
前記第１領域は、前記第２領域の明度よりも低い明度を有する低明度領域であり、
前記第２領域は、前記第１領域の明度よりも高い明度を有する網点要素で構成される領域であることを特徴とする照明装置。
【請求項８】
請求項４ないし請求項７のいずれかに記載の照明装置において、
前記第１領域および前記第２領域は、互いに異なる明度を有する互いに異なる材料で形成されることを特徴とする照明装置。
【請求項９】
請求項１ないし請求項８のいずれかに記載の照明装置において、
前記発光体からの直接光が被照明側人物の目にそのまま入射することを防ぐ防眩部材、
をさらに備えることを特徴とする照明装置。
【発明の詳細な説明】
【技術分野】
【０００１】
本発明は、照明装置に関する。
【背景技術】
【０００２】
近年、電力消費を抑制することが可能な照明装置、たとえばＬＥＤ（発光ダイオード：Light Emitting Diode）等を用いた照明装置が増加している。
【０００３】
また、ＬＥＤを用いた照明装置においては、ＬＥＤという点光源からの高輝度の直接光がそのまま眼に入ることを避けるため、当該ＬＥＤからの光を半透光性カバーを通過させて被照明体に照射することが行われている（例えば、特許文献１参照）。半透光性カバーを通過する時点で当該ＬＥＤからの光が拡散されるため、均一化された光が半透光性カバーの表面（ひょうめん）から放出される。
【先行技術文献】
【特許文献】
【０００４】
【特許文献１】特開２０１１−２０４６９９号公報
【発明の概要】
【発明が解決しようとする課題】
【０００５】
ところで、本件発明者は、上記のような照明装置とは異なり、発光体（ＬＥＤ等）からの光を反射する反射面を備え、当該反射面による反射光を被照明体（下方の人物等）に向けて放出する新規な照明装置を案出した。これによっても、点光源から発せられる高輝度の直接光がそのまま眼に入ることを避けることができる。
【０００６】
しかしながら、後述するように、このような照明装置の反射面（光放出面）内においては、発光体からの距離に応じた光量分布の不均一が存在することが判明した。
【０００７】
そこで、この発明は、光放出面内における光量分布を均一化することが可能な照明装置を提供することを課題とする。
【課題を解決するための手段】
【０００８】
上記課題を解決すべく、請求項１の発明は、照明装置であって、発光体と、前記発光体からの光を反射する反射面であって被照明体に向けて反射光を放出する反射面と、を備え、前記反射面には、前記反射面の各位置の反射率を塗料および／または印刷の明暗により変更して前記各位置の反射光量を調整する光量調整パターンが形成されており、前記反射面内において前記発光体からの距離が大きくなるにつれて反射率が連続的に大きくなるように、前記光量調整パターンが形成されることを特徴とする。
【０００９】
請求項２の発明は、照明装置であって、発光体と、前記発光体からの光を反射する反射面であって被照明体に向けて反射光を放出する反射面と、を備え、前記反射面には、前記反射面の各位置の反射率を塗料および／または印刷の明暗により変更して前記各位置の反射光量を調整する光量調整パターンが形成されており、前記光量調整パターンは、当該光量調整パターンを設けない状況で前記発光体による光照射を行って取得された前記反射面内の光量分布に基づくパターンであって、当該光量調整パターンを設けない状況で前記発光体による光照射が行われて撮影された撮影画像における前記反射面内の前記光量分布に基づくパターンであり、前記光量分布において比較的暗い部分領域の反射率が前記光量分布において比較的明るい部分領域の反射率よりも大きくなるように形成されることを特徴とする。
請求項３の発明は、請求項２の発明に係る照明装置において、前記光量調整パターンは、前記光量分布において比較的明るい部分領域から比較的暗い部分領域にいくにつれて各領域の反射率が連続的に大きくなるように、形成されることを特徴とする。
【００１０】
請求項４の発明は、請求項１ないし請求項３のいずれかに記載の照明装置において、前記光量調整パターンにおいては、第１の明度を有する領域である第１領域と第２の明度を有する領域である第２領域との表面構成比率が前記反射面内の部分領域ごとに調整されることによって、当該部分領域ごとの反射率が調整され、当該部分領域ごとの反射光量が調整されることを特徴とする。
【００１１】
請求項５の発明は、請求項４の発明に係る照明装置において、前記光量調整パターンは、網点を用いて形成されることを特徴とする。
【００１２】
請求項６の発明は、請求項５の発明に係る照明装置において、前記第１領域は、前記第２領域の明度よりも高い明度を有する高明度領域であり、前記第２領域は、前記第１領域の明度よりも低い明度を有し且つ網点要素領域として構成される領域であることを特徴とする。
【００１３】
請求項７の発明は、請求項５の発明に係る照明装置において、前記第１領域は、前記第２領域の明度よりも低い明度を有する低明度領域であり、前記第２領域は、前記第１領域の明度よりも高い明度を有する網点要素で構成される領域であることを特徴とする。
【００１４】
請求項８の発明は、請求項４ないし請求項７のいずれかの発明に係る照明装置において、前記第１領域および前記第２領域は、互いに異なる明度を有する互いに異なる材料で形成されることを特徴とする。
【００１５】
請求項９の発明は、請求項１ないし請求項８のいずれかの発明に係る照明装置において、前記発光体からの直接光が被照明側人物の目にそのまま入射することを防ぐ防眩部材、をさらに備えることを特徴とする。
【発明の効果】
【００１６】
請求項１ないし請求項９に記載の発明によれば、反射面内における光量分布の均一化を図ることが可能である。
【図面の簡単な説明】
【００１７】
【図１】本発明の実施形態に係る照明装置を示す外観図である。
【図２】照明装置の断面図である。
【図３】照明装置の内部構造の一部を示す斜視図である。
【図４】照明装置の正面図（設置状態の照明装置を下方からみた図）である。
【図５】発光体から出射された光が反射部材にて反射等される様子を示す図である。
【図６】光量調整パターン無しの状態での明度分布を示す図である。
【図７】光量調整パターンを示す図である。
【図８】発光体から比較的近い領域に「比較的大きな網点」が設けられている状況を示す平面図である。
【図９】図８と同じ状況を示す断面図である。
【図１０】発光体から比較的遠い領域に「比較的小さな網点」が設けられている状況を示す平面図である。
【図１１】図１０と同じ状況を示す断面図である。
【図１２】発光体から比較的近い領域に「比較的小さな網点」が設けられている状況を示す平面図である。
【図１３】図１２と同じ状況を示す断面図である。
【図１４】発光体から比較的遠い領域に「比較的大きな網点」が設けられている状況を示す平面図である。
【図１５】図１４と同じ状況を示す断面図である。
【図１６】変形例に係る照明装置の正面図（設置状態の照明装置を下方からみた図）である。
【図１７】変形例に係る光量調整パターンを示す図である。
【発明を実施するための形態】
【００１８】
以下、本発明の実施形態を図面に基づいて説明する。
【００１９】
＜１．第１実施形態＞
図１は、本発明の第１実施形態に係る照明装置１（１Ａとも称する）を示す外観図である。図１においては、当該照明装置１Ａが天井面に設置された状況が示されている。また、図２は、照明装置１Ａの断面図である。
【００２０】
図２等に示すように、照明装置１Ａは、当該照明装置１Ａの上部部材（詳細にはベース部材２１（後述））と天井材９０の上方に配置された軽量鉄骨部材９との間に天井材９０を挟んでネジ止め等されることによって、住宅あるいはオフィス等の居室内の天井面に固定される。
【００２１】
この照明装置１Ａは、筺体２と発光体３と反射部材５とを備えている。
【００２２】
筐体２は、断面視Ｌ字状のベース部材２１、発光体固定用部材２３、化粧カバー２５および反射板固定用部材２７などにより構成される。発光体固定用部材２３、化粧カバー２５および反射板固定用部材２７は、それぞれ、ベース部材２１に対して固定される。また、上述のようにベース部材２１は天井面に固定される。
【００２３】
反射部材５は、板状の部材（反射板）として設けられる。この反射部材５は、平面視において略正方形形状を有している。反射部材５は反射板固定用部材２７を用いてベース部材２１に対して固定され、当該反射部材５(およびその反射面６）は天井面と略平行に配置される。
【００２４】
発光体３は、たとえばＬＥＤ（発光ダイオード）などで構成される。次述するように、この照明装置１Ａにおいては、多数の発光体（ＬＥＤ）３が複数のモジュール（ここでは４つの発光体モジュール１０ａ〜１０ｄ）に区分されて配置される。
【００２５】
図３に示すように、各発光体モジュール１０（１０ａ〜１０ｄ）においては、それぞれ、複数の発光体（ＬＥＤ）が一列に並んで配置されている。なお、図３は、照明装置１Ａの内部構造の一部を示す斜視図である。
【００２６】
図４は、照明装置１Ａの正面図（設置状態において下方側から見た図）である。図４に示すように、照明装置１Ａは、４つの発光体モジュール１０ａ〜１０ｄを備えている。発光体モジュール１０ａ〜１０ｄは、反射部材５（反射面６）を取り囲むように、略正方形形状の反射部材５の４つの辺縁部に配置される。詳細には、発光体モジュール１０ａ，１０ｃは、反射部材５を挟んで互いに対向するように、反射部材５の左側と右側とに設けられている。また、発光体モジュール１０ｂ，１０ｄは、反射部材５を挟んで互いに対向するように、反射部材５の手前側（図４では上側）と奥側（図４では下側）とに設けられている。このように、略正方形形状の反射面６を取り囲むように、当該反射面６の４つの辺縁部に沿って４列の発光体群が配置されている。
【００２７】
図３および図２等に示すように、各発光体３は、発光体固定用部材２３（詳細にはその斜行部）上に設置されており、反射面６よりも下側に保持されている。発光体固定用部材２３は、比較的上方の鉛直部分２３ａと比較的下方の斜行部２３ｂとを有しており、当該斜行部２３ｂは鉛直下方に対して所定の角度（たとえば約４５度）を有するように配置されている。この斜行部２３ｂの内側表面に発光体モジュール１０が配置されている。また、各発光体モジュール１０上の複数の発光体３は、それぞれ、反射部材５の辺縁部の下方付近において、斜め上方（反射部材５の中央部側）を向いて配置されている。
【００２８】
そして、各発光体３は、点灯時において、反射部材５の辺縁部の下方付近から、斜め上方（反射部材５の中央部側）に向けて光を出射する。
【００２９】
図５に示すように、発光体３から出射された光は、反射部材５の反射面６で反射および拡散され、照明装置１Ａの下方側に設けられた開口部２９から外部の被照明体（下方の家具あるいは人物等）に向けて放出（照射）される。これにより、居室内下方の被照射体が照明される。このような照明時には、照明装置１Ａの反射面６から光が出射されているように見える。端的に言えば、反射面６はあたかも面状発光体のように見える。そのため、反射面６は面状の光放射体（あるいは光放出面）などとも表現される。
【００３０】
このような照明方式は、反射面６を利用した「間接照明」ではあるが、照明装置１内の反射面６が「光放出面」として作用するため、「直接照明」に近い照明方式である。
【００３１】
また、防眩部材７が筐体２（詳細には化粧カバー２５）の一部として設けられている。この防眩部材（防眩用遮蔽部材とも称する）７は、発光体３からの直接光が下方の被照明体（特に人物）に直接的に照射されることを防ぐ部材である。この部材７は、発光体３からの直接光が被照明側人物の目にそのまま入射することを防ぐ部材であるとも表現される。なお、防眩部材７は、直接光を（ほぼ完全に）遮蔽する遮蔽部材として形成されてもよく、あるいは、直接光を半透過する半透明の材料（拡散材料等）で構成されるようにしてもよい。
【００３２】
上述のように、この照明装置１Ａにおいては、反射面６で反射等された光（いわば間接光）が当該下方の被照明体に照射される。防眩部材７を設けることによれば、下方の人物は発光体３からの直接光を見ずに済むので、眩しさを低減することが可能である。特に、ＬＥＤなどの点状の光源（特に高輝度の光源）が発光体３として用いられる場合において、当該ＬＥＤ等からの直接光が眼に入ると非常に眩しく感じられるのに対して、上記のような反射面６で反射および拡散された光が反射面６から全体的に放出されることによれば、眩しさを大きく抑制することが可能である。換言すれば、照明装置１は、比較的均一な照明光を放出することが可能である。また、発光体３からの光は半透光性カバーを通過することを要しないため、照明光の光量低下を抑制することもできる。
【００３３】
ところで、発光体３から斜め上方に出射されて反射面６で反射等される光の強度は、反射面６上における発光体３からの距離に応じて異なっている。より詳細には、反射面６上の各領域に到達する光の強度は、当該各領域と発光体３との距離が大きくなるにつれて、小さくなる。より具体的には、図５に示すように、反射面６上において、発光体３から比較的遠い部分領域ＦＰにおける光の強度は、発光体３から比較的近い部分領域ＮＰにおける光の強度よりも小さい。そのため、後述するような光量調整パターンＰＴを設けない場合には、比較的遠い部分領域ＦＰは比較的近い部分領域ＮＰよりも暗くなる。
【００３４】
また、上述のように、照明装置１Ａにおいては、それぞれ複数の発光体を有する２つの発光体モジュール１０ａ，１０ｃが左右方向に対向して設けられており（図４参照）、左右両側の発光体３からの光が反射面６の各領域に到達する。そのため、反射面６の両端付近における光の強度は比較的大きく、一方、反射面６の中央付近における光の強度は比較的小さい。
【００３５】
さらに、照明装置１Ａにおいては、それぞれ複数の発光体を有する別の２つの発光体モジュール１０ｂ，１０ｄが対向して手前側（図４では上側）と奥側（図４では下側）とにも設けられており、手前側と奥側との両側の発光体３からの光が反射面６の各領域に到達する。そのため、反射面６の両端（手前側および奥側）付近における光の強度は比較的大きく、一方、反射面６の中央付近における光の強度は比較的小さい。
【００３６】
その結果、後述するような光量調整パターンＰＴを設けない場合には、図６（明度分布の模式図）に示すように、略正方形形状を有する反射面６の四方の辺縁部付近における光の強度は比較的大きく（明るく）、一方、反射面６の中央付近における光の強度は比較的小さい（暗い）。すなわち、反射面６内における光の強度は均一ではない。
【００３７】
このように、光量調整パターンＰＴ（後述）を設けない場合には、反射面（光放出面）内において、発光体からの距離に応じた光量分布の不均一が存在することが判明した。
【００３８】
そこで、この実施形態においては、次述するような光量調整パターンＰＴ（図７参照）を反射面６の表面上に形成する。これによれば、反射面６内の光の均一性を向上させることが可能である。なお、図７においては、比較的高い反射率を有する領域が比較的明るい色（図では白色）で模式的に示されており、且つ、比較的低い反射率を有する領域が比較的暗い色（図では灰色）で模式的に示されている。
【００３９】
光量調整パターンＰＴは、ここでは網点を用いて形成される。端的に言えば、当該光量調整パターンＰＴは、網点パターンとして形成される。具体的には、発光体３から比較的遠い部分領域ＦＰの反射率が発光体３から比較的近い部分領域ＮＰの反射率よりも大きくなるように、当該網点パターンが形成される。
【００４０】
より具体的には、光量調整パターンＰＴにおいては、反射面内の各部分領域を構成する２種類の領域ＲＡ，ＲＢの表面構成比率が反射面６内の部分領域ごとに調整されている。これによって、当該部分領域ごとの反射率が調整され、当該部分領域ごとの反射光量が調整される。
【００４１】
詳細には、互いに異なる２種類の塗料（ここではいずれも蛍光塗料）ＰＡ，ＰＢを反射部材５の表面に塗布し、当該２種類の塗料ＰＡ，ＰＢの表出割合（表面構成比率）を調整することによって、光量調整パターンＰＴ（詳細にはＰＴ１）内における各部分領域の反射光量が調整される。当該２種類の塗料ＰＡ，ＰＢは、互いに異なる明度（互いに異なる反射率）を有している。なお、２種類の塗料ＰＡ，ＰＢは、それぞれ、蛍光塗料以外の塗料であってもよい。
【００４２】
ここでは、一方の塗料ＰＡは、他方の塗料ＰＢよりも明るい塗料である。塗料ＰＡは、非常に明るい色（たとえば白色）であることが好ましい。また、塗料ＰＢは、塗料ＰＡに比べて若干明度を低減した白色であることが好ましい。
【００４３】
そして、比較的高い明度を有する領域（高明度領域とも称する）（ここでは、塗料ＰＡが表出しているベース領域ＲＡ）と比較的低い明度を有する領域（低明度領域とも称する）（ここでは、塗料ＰＢが表出している網点要素領域ＲＢ）との表面構成比率が反射面６内の部分領域ごとに調整される（図８〜図１１参照）。
【００４４】
また、この実施形態における網点パターン（光量調整パターン）は、反射面６のベース部材（塗料ＰＡの塗料層）の反射率よりも小さな反射率を有する網点を用いて形成される。換言すれば、網点要素領域ＲＢは、ベース領域ＲＡの明度よりも低い明度を有する網点要素で構成される。
【００４５】
より詳細には、まず、２種類の塗料ＰＡ，ＰＢのうちの一方の塗料ＰＡのみを反射面６の表面に塗布した状態で、発光体モジュール１０ａ〜１０ｄの発光体３を発光させて反射面６に向けて光を照射する。そして、この照射状態をデジタルカメラ等により写真撮影して撮影画像を取得し、反射面６内の明度分布（図６参照）を取得する。当該明度分布は、光量調整パターンＰＴを設けない状況で発光体３による光照射を行って取得された（反射面６内の）光量分布であるとも表現される。
【００４６】
つぎに、他方の塗料ＰＢを塗布すべき領域（網点要素領域）ＲＢが、当該明度分布に基づいて決定され、決定された塗布領域ＲＢに対して、塗料ＰＢがスクリーン印刷技術等を用いて塗料ＰＡ上にさらに塗布される。塗料ＰＢが塗布された領域ＲＢは「網点」（網点要素領域）として構成される。このようにして、塗料ＰＢを用いた網点パターンが光量調整パターンＰＴ（ＰＴ１）として形成される。
【００４７】
具体的には、取得された明度分布（図６）において比較的明るい領域ＮＰ（図５も参照）には、比較的暗い塗料ＰＢの塗布面積割合（表面構成比率）が大きくなるように、比較的大きな網点（網点要素）が形成されるようにする（図８および図９参照）。図８（正面図）および図９（断面図）には、或る発光体３（たとえば発光体モジュール１０ａ内の発光体３ａ（図５参照））から比較的近い領域（反射面の辺縁部付近の領域）ＮＰにおいて、反射部材５の表面上に塗布された塗料ＰＡの上に「比較的大きな網点」が塗料ＰＢによって形成されている様子、が示されている。これにより、比較的明るい部分領域ＮＰにおいては、比較的低い反射率を有する領域（低反射領域）が設けられる。
【００４８】
逆に、取得された明度分布（図６）において比較的暗い領域ＦＰには、比較的暗い塗料ＰＢの塗布面積割合（表面構成比率）が小さくなるように、比較的小さな網点が形成されるようにする（図１０および図１１参照）。図１０（正面図）および図１１（断面図）には、或る発光体３（３ａ）から比較的遠い領域（反射面の中央付近の領域）ＦＰにおいて、反射部材５の表面上に塗布された塗料ＰＡの上に「比較的小さな網点」が塗料ＰＢによって形成されている様子、が示されている。これにより、比較的暗い部分領域ＦＰにおいては比較的高い反射率を有する領域（高反射領域）が設けられる。
【００４９】
このように、光量調整パターンＰＴ１（図７）においては、反射面６内において発光体３から比較的遠い部分領域ＦＰの反射率は、発光体３から比較的近い部分領域ＮＰの反射率よりも大きくなる。換言すれば、図７に示すように、光量調整パターンＰＴ１は、図６の光量分布において比較的暗い部分領域ＦＰの反射率が当該光量分布において比較的明るい部分領域ＮＰの反射率よりも大きくなるように、形成されている。すなわち、光量調整パターンＰＴ１は、比較的暗い領域（比較的遠い領域）ＦＰを比較的明るくするように形成されている。逆に言えば、光量調整パターンＰＴ１は、比較的明るい領域（比較的近い領域）ＮＰを比較的暗くするように形成されている。
【００５０】
そして、このような光量調整パターンＰＴ１が反射面６に形成された状態で、発光体３からの光が当該反射面６に向けて出射され、当該反射面６で反射された光（反射光）が被照明体に向けて放出される。
【００５１】
これによれば、図６において比較的明るい領域ＮＰにおいては、光量調整パターンＰＴ１内の低反射領域（図８および図９参照）によって反射光量が抑制される。一方、図６において比較的暗い領域ＦＰにおいては、光量調整パターンＰＴ１内の高反射領域（図１０および図１１参照）によって比較的大きな反射率による反射光量が得られる。したがって、反射面６内の反射光量分布（光強度分布）を均一化することが可能である。
【００５２】
すなわち、光量調整パターンＰＴ１を用いない場合には図６のような明度分布を有するのに対して、図７のような網点パターンＰＴ１を用いて反射面６内の各部分領域の反射光量分布（図６）を調整することによれば、反射面６内における光量分布（光強度分布）の均一化を図ることが可能である。
【００５３】
なお、ここでは、反射面６内における代表的な２つの部分領域ＦＰ，ＮＰを中心に説明を行っているが、２つの部分領域ＦＰ，ＮＰの間の位置（中間的な位置）等に配置される各部分領域に関しては、図６の光量分布に基づいて、２つの領域ＲＡ，ＲＢの表面構成比率（ひいては各部分領域の反射率）が連続的に変化するように調整されればよい。端的に言えば、光量調整パターンＰＴ１の各部分領域の反射率は、発光体３から（当該各部分領域まで）の距離が大きくなるにつれて、大きくなるように調整されればよい。
【００５４】
また、図７の光量調整パターンＰＴ１においては、反射面６の左右両側に設けられる１組の発光体モジュール対（１０ａ，１０ｃ）の各発光体３からの光を均一化するため、図７の中央を挟んで左側と右側とに向けて線対称に反射率が変化している。同様に、反射面６の上下両側に設けられる１組の発光体モジュール対（１０ｂ，１０ｄ）の各発光体３からの光を均一化するため、図７の中央を挟んで上側と下側とに向けて線対称に反射率が変化している。このように、光量調整パターンＰＴ１においては、反射面６の四方に設けられた４つの発光体モジュール１０ａ〜１０ｄの各発光体３からの光に対応するため、図７の上下方向および左右方向の双方に反射率が変化している。
【００５５】
＜２．第２実施形態＞
第２実施形態は、第１実施形態の変形例である。以下では、第１実施形態との相違点を中心に説明する。
【００５６】
上記第１実施形態においては、比較的明るい塗料ＰＡの上に比較的暗い塗料ＰＢが塗布されて網点パターンが形成される態様が例示されているが、これに限定されない。たとえば逆に、比較的暗い塗料ＰＢの上に比較的明るい塗料ＰＡが塗布されて網点パターンが形成されるようにしてもよい。すなわち、網点パターン（光量調整パターン）は、反射面６のベース部材（塗料ＰＢの塗料層）の反射率よりも大きな反射率を有する網点を用いて形成されてもよい。換言すれば、網点要素領域ＲＢは、ベース領域ＲＡの明度よりも高い明度を有する網点要素で構成される領域であってもよい。第２実施形態においては、このような態様を例示する。
【００５７】
具体的には、まず、２種類の塗料ＰＡ，ＰＢのうちの塗料ＰＢのみを反射面６の表面に塗布した状態で、発光体モジュール１０ａ〜１０ｄの発光体３を発光させて反射面６に向けて光を照射する。そして、この照射状態をデジタルカメラ等により写真撮影し、反射面６内の明度分布（図６と同様）を取得する。
【００５８】
そして、別の塗料ＰＡを塗布すべき領域（網点要素領域）ＲＢが、当該明度分布に基づいて決定され、決定された塗布領域ＲＢに対して、塗料ＰＡがスクリーン印刷技術等を用いて塗料ＰＢ上にさらに塗布される。塗料ＰＡが塗布された領域ＲＢは「網点」（網点要素領域）として構成される。このようにして、塗料ＰＡを用いた網点パターンが光量調整パターンＰＴ（ＰＴ２）として形成される。
【００５９】
具体的には、デジタルカメラ等で取得された明度分布（図６参照）において比較的明るい領域ＮＰ（図５も参照）には、比較的明るい塗料ＰＡの塗布面積割合（表面構成比率）が小さくなるように、「比較的小さな」網点が形成されるようにする（図１２および図１３参照）。図１２（正面図）および図１３（断面図）には、反射部材５の表面上において塗料ＰＢが塗布されており、「比較的小さな網点」が塗料ＰＡによって塗料ＰＢの上にさらに形成されている様子が示されている。
【００６０】
一方、デジタルカメラ等で取得された明度分布（図６参照）において比較的暗い領域ＦＰ（図５も参照）には、比較的明るい塗料ＰＡの塗布面積割合（表面構成比率）が大きくなるように、比較的大きな網点が形成されるようにする（図１４および図１５参照）。図１４（正面図）および図１５（断面図）には、反射部材５の表面上において塗料ＰＢが塗布されており、「比較的大きな網点」が塗料ＰＡによって塗料ＰＢの上にさらに形成されている様子が示されている。
【００６１】
このように、網点を構成する塗料ＰＡがスクリーン印刷技術等を用いて塗料ＰＢの上にさらに塗布され、網点パターンが光量調整パターンＰＴ２として形成される。また、この光量調整パターンＰＴ２（網点パターン）は、第１実施形態に係る光量調整パターンＰＴ１と同様に、発光体３から比較的遠い領域ＦＰの反射率が発光体３から比較的近い領域ＮＰの反射率よりも大きくなるように形成されている。
【００６２】
より詳細には、光量調整パターンＰＴ２においては、反射面６内の各部分領域を構成する２種類の領域ＲＡ，ＲＢの表面構成比率が反射面６内の部分領域ごとに調整されている。ただし、この第２実施形態においては、図１２〜図１５に示すように、下地側のベース領域ＲＡは、塗料ＰＢが表出している領域であり、網点要素領域ＲＢの明度よりも低い明度を有する低明度領域である。また、網点要素で構成される領域である網点要素領域ＲＢは、塗料ＰＡが表出している領域であり、ベース領域ＲＡの明度よりも高い明度を有する高明度領域である。そして、図１２および図１３に示すように、発光体３から比較的近い部分領域ＮＰにおいては、比較的明るい塗料ＰＡの塗布面積割合（表面構成比率）が比較的小さくなるように調整され、比較的低い反射率が実現されている。一方、図１４および図１５に示すように、発光体３から比較的遠い部分領域ＦＰにおいては、比較的明るい塗料ＰＡの塗布面積割合（表面構成比率）が比較的大きくなるように調整され、比較的高い反射率が実現されている。
【００６３】
このような態様によっても、第１実施形態と同様の効果を得ることが可能である。
【００６４】
＜３．変形例等＞
以上、この発明の実施の形態について説明したが、この発明は上記説明した内容のものに限定されるものではない。
【００６５】
たとえば、上記各実施形態においては、光量調整パターンＰＴが網点パターンとして構成される態様が例示されているが、これに限定されない。たとえば、格子パターン等を用いて光量調整パターンＰＴが形成されるようにしてもよい。当該格子パターンにおいては、格子を構成する線の太さ（および／または間隔等）を変更することによって、反射光量が調整されればよい。
【００６６】
また、上記各実施形態においては、塗料により光量調整パターンＰＴが形成されているが、これに限定されない。たとえば、上記と同様の網点等が印刷された透明シートが反射部材５の表面に貼付されるようにしてもよい。端的に言えば、光量調整パターンＰＴは光量調整シートとして形成されるようにしてもよい。あるいは、光量調整パターンＰＴは、２種類の塗料ＰＡ，ＰＢが予め塗布されたシートとして形成されるようにしてもよい。
【００６７】
また、上記各実施形態においては、反射面６の形状は略正方形形状を有しているが、これに限定されない。たとえば、反射面６の形状は、略長方形形状（細長形状）でもよく、あるいは、略円形形状などであってもよい。
【００６８】
また、上記各実施形態においては、２組の発光体モジュール対（１０ａ，１０ｃ），（１０ｂ，１０ｄ）が設けられる態様が例示されているが、これに限定されない。
【００６９】
たとえば、図１６（平面図）に示すように、１組の発光体モジュール対（１０ｅ，１０ｆ）のみが設けられるようにしてもよい。図１６は、細長形状の反射面６（６ｂ）を挟んでその長辺側の両辺縁部（反射面６ｂの上側辺縁部および下側辺縁部）に沿って２つの発光体モジュール（発光体群）１０ｅ，１０ｆが配置されている照明装置１（１Ｂ）を示す図である。このような照明装置１Ｂにおいても、上記の思想を適用することが可能である。この場合には、図１７のような光量調整パターンＰＴ３を用いればよい。光量調整パターンＰＴ３においては、図１７の上下方向（縦方向）においてのみ反射率が変化している。
【００７０】
さらには、（１組ではなく）１つの発光体モジュール（１列の発光体群）１０のみを備える照明装置にも上記の思想を適用することができる。たとえば、当該照明装置は、略矩形形状の反射面６の１辺のみに沿って配置された発光体モジュールを備えるものであってもよい。より具体的には、当該照明装置は、図１６において、発光体モジュール１０ｆを有しないものであってもよい。
【００７１】
また、上記各実施形態においては、反射面６が開口部２９付近において表出している態様（図２参照）が例示されているが、これに限定されない。たとえば、当該開口部２９に相当する部分に透明カバーを設け、反射面６が当該透明カバーに覆われるようにしてもよい。反射面６を透明カバーで覆い、当該透明カバーで開口部２９を塞ぐことによれば、蚊などの小さな虫が照明装置１Ａの開口部２９から装置内部に入り込むことを防止することも可能である。
【符号の説明】
【００７２】
１  照明装置
２  筐体
３  発光体
５  反射部材
６  反射面
７  防眩部材
９  軽量鉄骨部材
１０，１０ａ〜１０ｄ  発光体モジュール
２１  ベース部材
２３  発光体固定用部材
２３ａ  鉛直部分
２３ｂ  斜行部
２５  化粧カバー
２７  反射板固定用部材
２９  開口部
９０  天井材
ＦＰ  （発光体から比較的遠い）部分領域
ＮＰ  （発光体から比較的近い）部分領域
ＰＡ，ＰＢ  塗料
ＰＴ  光量調整パターン
ＲＡ  ベース領域
ＲＢ  塗布領域（網点要素領域）
【図１】
0005912647.tif 000002
【図２】
0005912647.tif 000003
【図３】
0005912647.tif 000004
【図４】
0005912647.tif 000005
【図５】
0005912647.tif 000006
【図８】
0005912647.tif 000007
【図９】
0005912647.tif 000008
【図１０】
0005912647.tif 000009
【図１１】
0005912647.tif 000010
【図１２】
0005912647.tif 000011
【図１３】
0005912647.tif 000012
【図１４】
0005912647.tif 000013
【図１５】
0005912647.tif 000014
【図１６】
0005912647.tif 000015
【図６】
0005912647.tif 000016
【図７】
0005912647.tif 000017
【図１７】
0005912647.tif 000018